(57)【要約】【課題】運転者が案内された走行経路を正しく認識していないと判定された場合に、正しい走行経路を認識させる案内を実行すること。【解決手段】運転支援制御装置は、車両に対して目的地までの経路案内を実行する経路案内制御部と、車両の運転者の状況を検出する生体情報検出部から運転者の生体情報を取得する生体情報取得部と、生体情報取得部が取得した運転者の生体情報に基づいて、運転者が経路案内制御部により経路案内された走行経路を正しく認識しているか否かを判断する判断部と、判断部によって運転者が経路案内された走行経路を正しく認識していないと判定された場合に、報知部を用いて報知する報知制御部と、を備える。【選択図】図１
2020160588.tif 000002
【特許請求の範囲】
【請求項１】
車両に対して目的地までの経路案内を実行する経路案内制御部と、
前記車両の運転者の状況を検出する生体情報検出部から前記運転者の生体情報を取得する生体情報取得部と、
前記生体情報取得部が取得した前記運転者の生体情報に基づいて、前記運転者が前記経路案内制御部により経路案内された走行経路を正しく認識しているか否かを判断する判断部と、
前記判断部によって前記運転者が経路案内された前記走行経路を正しく認識していないと判定された場合に、報知部を用いて報知する報知制御部と、
を備える、運転支援制御装置。
【請求項２】
前記生体情報検出部は、
少なくとも前記運転者を撮影するカメラと、
少なくとも前記運転者の音声を取得するマイクと、
を備え、
前記生体情報取得部は、
前記カメラの撮影した前記運転者の撮影データに基づいて前記運転者の視線方向に関する視線情報を取得する視線情報取得部と、
前記マイクが取得した音声の音声データを解析する音声解析部と、
を備える、請求項１に記載の運転支援制御装置。
【請求項３】
前記視線情報取得部は、前記視線情報として、前記車両の前方と、前記運転者が前記走行経路の地図を表示する表示部とを交互に視認した情報を取得し、
前記判断部は、前記視線情報取得部によって前記車両の前方と、前記運転者が所定時間に前記走行経路の地図を表示する表示部とを交互に視認した情報を取得した場合に、経路案内された前記走行経路を前記運転者が正しく認識していないと判断する、
請求項２に記載の運転支援制御装置。
【請求項４】
前記音声解析部は、前記マイクから取得した前記運転者の音声データに基づいて、前記運転者が不安な状態であるか否かを判定し、
前記判断部は、前記音声解析部によって前記運転者が不安な状態であると判定された場合に、経路案内された前記走行経路を前記運転者が正しく認識していないと判断する、
請求項２または３に記載の運転支援制御装置。
【請求項５】
前記車両の現在位置から案内対象地点までの距離が所定の距離以上であり、かつ前記生体情報取得部によって取得された前記運転者の状況に基づいて、前記案内対象地点において前記車両が前記走行経路から外れると前記判断部によって推測された場合、
前記報知制御部は、前記運転者に対して、前記走行経路から外れる操作が実行される前に報知する、
請求項１から４のいずれか１項に記載の運転支援制御装置。
【請求項６】
前記車両の現在位置から案内対象地点までの距離が所定の距離未満であり、かつ前記生体情報取得部によって取得された前記運転者の状況に基づいて、前記案内対象地点において前記車両が前記走行経路から外れると前記判断部によって推測された場合、
経路案内制御部は、前記走行経路から外れた場合に、前記走行経路に復帰する走行経路を前記車両が前記走行経路から外れる前に取得し、かつ前記車両が前記走行経路から外れた際に、前記走行経路に復帰する走行経路を案内する、
請求項１から４のいずれか１項に記載の運転支援制御装置。
【請求項７】
前記経路案内制御部は、前記走行経路から外れた場合に、前記走行経路に復帰することが困難であるか否かを判定し、
前記報知制御部は、前記走行経路から外れた場合に、前記走行経路に復帰することが困難であると判定された場合には第一の方法で報知を行い、前記走行経路に復帰することが困難でないと判定された場合には第二の方法で報知を行う、
請求項１から６のいずれか１項に記載の運転支援制御装置。
【請求項８】
車両に対して目的地までの経路案内を実行する経路案内制御ステップと、
前記車両の運転者の状況を検出する生体情報検出部から前記運転者の生体情報を取得する生体情報取得ステップと、
前記生体情報取得ステップで取得した前記運転者の生体情報に基づいて、前記運転者が前記経路案内制御ステップで経路案内された走行経路を正しく認識しているか否かを判断する判断ステップと、
前記判断ステップで前記運転者が経路案内された前記走行経路を正しく認識していないと判定された場合に、報知部を用いて報知する報知制御ステップと、
を含む、運転支援制御方法。
【請求項９】
車両に対して目的地までの経路案内を実行する経路案内制御ステップと、
前記車両の運転者の状況を検出する生体情報検出部から前記運転者の生体情報を取得する生体情報取得ステップと、
前記生体情報取得ステップで取得した前記運転者の生体情報に基づいて、前記運転者が前記経路案内制御ステップで経路案内された走行経路を正しく認識しているか否かを判断する判断ステップと、
前記判断ステップで前記運転者が経路案内された前記走行経路を正しく認識していないと判定された場合に、報知部を用いて報知する報知制御ステップと、
を運転支援制御装置として動作するコンピュータに実行させる、プログラム。
【発明の詳細な説明】
【技術分野】
【０００１】
本発明は、運転支援制御装置、運転支援制御方法、およびプログラムに関する。
【背景技術】
【０００２】
車両を運転する運転者に対して、警告を行うことで運転を支援する技術が知られている。例えば特許文献１には、誘導経路上の曲折すべき交差点において、自車両の方向指示器が出されていない場合、警告メッセージを発するナビゲーション装置が開示されている。
【先行技術文献】
【特許文献】
【０００３】
【特許文献１】特開２００１−２５５１６７号公報
【発明の概要】
【発明が解決しようとする課題】
【０００４】
ナビゲーション装置などに案内された経路が初めて走行する道である場合、例えば右折すべき警告があったとしても、右折可能な箇所が複数ある場合には、運転者は走行経路とは誤った箇所で右折してしまう可能性がある。このような場合、運転者はナビゲーション装置の表示画面を視認することがあるが、初めて走行する道路などにおいては、表示画面に表示された地図表示と、実際に走行している道路との関係性を把握することが困難なことがある。運転者が走行時に迷っている判断された時に、正しい走行経路の案内を実行することのできる技術が求められている。
【０００５】
本発明は、運転者が案内された走行経路を正しく認識していないと判定された場合に、正しい走行経路を認識させる案内を実行することのできる運転支援制御装置、運転支援制御方法、およびプログラムを提供する。
【課題を解決するための手段】
【０００６】
本発明の運転支援制御装置は、車両に対して目的地までの経路案内を実行する経路案内制御部と、前記車両の運転者の状況を検出する生体情報検出部から前記運転者の生体情報を取得する生体情報取得部と、前記生体情報取得部が取得した前記運転者の生体情報に基づいて、前記運転者が前記経路案内制御部により経路案内された走行経路を正しく認識しているか否かを判断する判断部と、前記判断部によって前記運転者が経路案内された前記走行経路を正しく認識していないと判定された場合に、報知部を用いて報知する報知制御部と、を備える。
【０００７】
本発明の運転支援制御方法は、車両に対して目的地までの経路案内を実行する経路案内制御ステップと、前記車両の運転者の状況を検出する生体情報検出部から前記運転者の生体情報を取得する生体情報取得ステップと、前記生体情報取得ステップで取得した前記運転者の生体情報に基づいて、前記運転者が前記経路案内制御ステップで経路案内された走行経路を正しく認識しているか否かを判断する判断ステップと、前記判断ステップで前記運転者が経路案内された前記走行経路を正しく認識していないと判定された場合に、報知部を用いて報知する報知制御ステップと、を含む。
【０００８】
本発明のプログラムは、車両に対して目的地までの経路案内を実行する経路案内制御ステップと、前記車両の運転者の状況を検出する生体情報検出部から前記運転者の生体情報を取得する生体情報取得ステップと、前記生体情報取得ステップで取得した前記運転者の生体情報に基づいて、前記運転者が前記経路案内制御ステップで経路案内された走行経路を正しく認識しているか否かを判断する判断ステップと、前記判断ステップで前記運転者が経路案内された前記走行経路を正しく認識していないと判定された場合に、報知部を用いて報知する報知制御ステップと、を運転支援制御装置として動作するコンピュータに実行させる。
【発明の効果】
【０００９】
本発明によれば、運転者が案内された走行経路を正しく認識していないと判定された場合に、正しい走行経路を認識させる案内を実行することができる。
【図面の簡単な説明】
【００１０】
【図１】図１は、本発明の実施形態に係る運転支援装置の構成の一例を示すブロック図である。
【図２】図２は、報知制御部の処理を説明するための模式図である。
【図３】図３は、本発明の実施形態に係る運転支援制御装置の処理の流れの一例を示すフローチャートである。
【図４】図４は、本発明の実施形態の第一変形例の処理を示すフローチャートである。
【図５】図５は、本発明の実施形態の第二変形例の処理を示すフローチャートである。
【発明を実施するための形態】
【００１１】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１２】
[第一実施形態]
図１を用いて、第一実施形態に係る運転支援装置１の構成について説明する。図１は、第一実施形態に係る運転支援装置１の構成の一例を示すブロック図である。
【００１３】
運転支援装置１は、生体情報検出部１０と、操作部２０と、ＧＰＳ（Global  Positioning  System）受信部３０と、ＣＡＮ（Controller  Area  Network）インターフェース４０と、記憶部５０と、音声出力部６０と、表示部７０と、制御部（運転支援制御装置）１００とを備える。音声出力部６０と、表示部７０とは、報知部とも呼ばれる。
【００１４】
生体情報検出部１０は、車両を運転している際の運転者の状況（生体情報）を検出する。生体情報検出部１０は、カメラ１１と、マイク１２とを備える。
【００１５】
カメラ１１は、少なくとも車両を運転している運転者の視線の方向を検出する。カメラ１１は、例えば運転者と向かい合って配置されている。カメラ１１は、例えば赤外発光装置と赤外光カメラとを備え、運転者の顔に赤外光を照射して、赤外光カメラで運転者の顔を撮影する。カメラ１１は、赤外光カメラで撮影した撮影データを視線情報取得部１２０に出力する。なお、カメラ１１は、可視光カメラで構成されていてもよい。この場合、カメラ１１は、運転している際の、運転者の顔を撮影し、撮影した撮影データを視線情報取得部１２０に出力する。
【００１６】
マイク１２は、少なくとも運転者の音声を検出する。マイク１２は、検出した音声データを音声解析部１２１に出力する。
【００１７】
本実施形態では、生体情報検出部１０は、運転者の視線と音声とを検出するがこれは例示であり、本発明を限定するものではない。生体情報検出部１０は、例えば脈拍を検出する脈拍センサ、体温を検出する体温センサ、呼吸数を検出する呼吸センサで構成されてもよい。
【００１８】
操作部２０は、運転支援装置１に対する種々の操作を受け付ける。操作部２０は、例えば運転者などから目的地を設定するための操作を受け付ける。操作部２０は、例えば物理的なスイッチや、表示部７０に設けられたタッチパネルで構成することができる。
【００１９】
ＧＰＳ受信部３０は、ＧＰＳ受信回路、ＧＰＳ受信アンテナなどから構成されており、ＧＰＳ信号を受信する。ＧＰＳ受信部３０は、受信したＧＰＳ信号を位置情報取得部１２３に出力する。
【００２０】
ＣＡＮインターフェース４０は、ＣＡＮを介して各種車両情報を取得するためのインターフェースである。車両情報には、例えば、エンジンの動作状況や、加速および減速を含む車両の走行状況などに関する情報が含まれている。
【００２１】
記憶部５０は、地図データ５１など種々のデータを記録する。地図データ５１は、車両が走行する道路に関する種々の情報を含む。記憶部５０は、例えば制御部１００の各部を実現させるためのプログラムを記憶している。制御部１００は、記憶部５０に記憶されているプログラムを展開して実行することで、各部の機能を実現する。記憶部５０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で構成することができる。記憶部５０は、複数の異なるメモリ等で構成されてもよい。
【００２２】
音声出力部６０は、車両の搭乗者に対して音声を出力する。音声出力部６０は、例えば車両の搭乗者に対して、経路案内音声を出力する。音声出力部６０は、例えば運転者が案内された走行経路を正しく認識されていないと判定された場合に報知を行う。音声出力部６０は、例えば、車両の搭載されたオーディオ用のスピーカで構成される。
【００２３】
表示部７０は、種々の映像を表示する。表示部７０は、例えば地図データ５１に基づいて、車両の周辺の地図を表示する。表示部７０は、例えば、現在位置から目的地までの経路情報を地図と共に表示する。表示部７０は、例えば、液晶ディスプレイ（ＬＣＤ：Liquid  Crystal  Display）または有機ＥＬ（Organic  Electro-Luminescence）ディスプレイなどを含むディスプレイである。
【００２４】
制御部１００は、視線情報取得部１２０と、音声解析部１２１と、目的地設定部１２２と、位置情報取得部１２３と、車両情報取得部１２４と、経路案内制御部１２５と、判断部１２６と、音声案内制御部１２７と、表示制御部１２８と、報知制御部１２９とを備える。制御部１００が備える各部は、バス１１０を介して互いに接続されているように記載する。制御部１００は、例えば、ＣＰＵ（Central  Processing  Unit）を含む電子的な回路で構成することができる。
【００２５】
視線情報取得部１２０は、カメラ１１から車両の運転者の視線の方向を取得する。視線情報取得部１２０は、例えば取得した視線の方向に基づいて、特定の方向を注視していることを取得する。視線情報取得部１２０は、例えば、運転者が所定時間（例えば、２秒）以上、表示部７０に視線を向けていることを取得する。視線情報取得部１２０は、例えば表示部７０と、車両の前方とを交互に視線を向けていることを検出する。視線情報取得部１２０は、車両の運転者以外の搭乗者の視線の方向を取得してもよい。
【００２６】
音声解析部１２１は、マイク１２から車両の運転者の音声を取得する。音声解析部１２１は、マイク１２から取得した運転者の音声を解析し、運転者の心理状態を判定する。音声解析部１２１は、例えばマイク１２から取得した音声に基づいて、運転者が不安な状態であるか否かを判定する。
【００２７】
視線情報取得部１２０と、音声解析部１２１とは、生体情報取得部とも呼ばれる。
【００２８】
目的地設定部１２２は、ユーザによって設定された目的地に関する目的地情報を操作部２０から受け付ける。目的地設定部１２２は、例えば、現在位置情報と地図データ５１とに基づいて、現在位置から目的地までの走行経路を設定する。目的地設定部１２２は、例えば、現在位置から目的地までの走行経路に関する情報を、経路案内制御部１２５に出力する。
【００２９】
位置情報取得部１２３は、ＧＰＳ受信部３０からＧＰＳ信号を受け付ける。位置情報取得部１２３は、ＧＰＳ信号に基づいて、車両の現在位置情報を算出する。位置情報取得部１２３は、例えば車両の現在位置から右左折するべき分岐点までの距離を算出する。位置情報取得部１２３は、現在位置情報を目的地設定部１２２と、経路案内制御部１２５とに出力する。
【００３０】
車両情報取得部１２４は、ＣＡＮインターフェース４０からのＣＡＮを介して種々の車両情報を取得する。車両情報取得部１２４は、車両情報として、例えば車両のエンジンの動作に関する情報を取得する。
【００３１】
経路案内制御部１２５は、目的地設定部１２２で設定された現在位置から設定された目的地までの走行経路の案内を実行する。経路案内制御部１２５は、音声案内制御部１２７に制御信号を出力することで、音声出力部６０から音声を出力させて走行経路の案内を実行する。経路案内制御部１２５は、表示制御部１２８に制御信号を出力することで、表示部７０に地図データ５１に基づいた地図など表示させて走行経路の案内を実行する。
【００３２】
判断部１２６は、案内対象地点である交差点などの分岐路において経路案内制御部１２５により経路案内された走行経路を、運転者が正しく認識しているか否かを判断する。判断部１２６は、例えば視線情報取得部１２０によって運転者の所定の動きの視線が検出された場合や、音声解析部１２１によって所定の状態であると判定された場合に、運転者は経路案内制御部１２５により経路案内された走行経路を正しく認識していないと判断する。
【００３３】
判断部１２６は、例えば視線情報取得部１２０によって運転者が所定時間（例えば、２秒）以上、表示部７０に視線を向けていることを示す情報が取得された場合、運転者は経路案内された走行経路を正しく認識してないと判断する。判断部１２６は、例えば視線情報取得部１２０によって、表示部７０と、車両の前方とを交互に視線を向けていることを示す情報を取得した場合に、運転者は経路案内された走行経路を正しく認識していないと判断する。
【００３４】
判断部１２６は、例えば音声解析部１２１によって運転者が不安を感じさせる言葉を発したと判定された場合、運転者は経路案内された走行経路を正しく認識していないと判断する。判断部１２６は、例えば音声解析部１２１によって運転者が不安な声色であると判定された場合、運転者は経路案内された走行経路を正しく認識していないと判断する。
【００３５】
判断部１２６は、車両情報取得部１２４と経路案内制御部１２５によって車両の速度に基づいて運転者が経路案内された走行経路を正しく認識しているか否かを判断してもよい。判断部１２６は、例えば走行経路の案内がされた直後に運転者が間違った右左折路を右折しようとして車両の速度を低下した時、すなわち車両情報取得部１２４から車両の速度の低下（例えば、法定速度の１０％程度以上）した場合に、運転者は経路案内された走行経路を正しく認識していないと判断する。
【００３６】
音声案内制御部１２７は、経路案内制御部１２５からの制御信号に従って、音声を出力させるための音声信号を音声出力部６０に出力する。音声案内制御部１２７は、例えば、現在位置から目的地までの経路案内を出力させるための制御信号を音声出力部６０に出力する。
【００３７】
表示制御部１２８は、経路案内制御部１２５からの制御信号に従って、映像を表示させるための制御信号を表示部７０に出力する。表示制御部１２８は、地図データ５１と、位置情報取得部１２３が取得した現在位置とに基づいて、各種の映像を表示させるための制御信号を表示部７０に出力する。表示制御部１２８は、例えば、車両周辺の地図を表示させるための制御信号を表示部７０に出力する。
【００３８】
報知制御部１２９は、判断部１２６によって運転者が走行経路を認識していないと判断された場合に、運転者に対して報知を行う。
【００３９】
報知制御部１２９は、例えば運転者が交差点で右折することを認識していないと判断され、かつ交差点までの距離が所定の距離以上である場合には、音声案内制御部１２７を制御して「次の交差点を右方向です」といった音声案内を音声出力部６０から出力する。すなわち、報知制御部１２９は、運転者に対し正しい走行経路を認識させるための報知を行う。所定の距離に特に制限はないが、例えば運転者が安全に右折をするための操作を行える距離である。報知制御部１２９は、表示制御部１２８を制御して、次の交差点で右折させるための文字やアイコンを表示部７０に表示してもよい。
【００４０】
報知制御部１２９は、例えば運転者が交差点で右折することを認識していないと判断され、かつ現在位置から交差点までの距離が所定の距離未満である場合には、運転者に対し正しい走行経路を認識させるための報知を行わない。この場合、報知制御部１２９は、案内された走行経路から外れてしまう前に、走行経路を外れてしまった場合に元の走行経路に戻れるようなルートを検索する。そして、経路案内制御部１２５は、車両が経路案内制御部１２５により経路案内された走行経路を外れてしまった直後に、元の走行経路に復帰するための経路案内を実行する。
【００４１】
また、報知制御部１２９は、案内された走行経路から外れてしまう前に、外れた走行経路から目的地に到達するための走行経路を検索（リルート）してもよい。この場合、経路案内制御部１２５は、車両が経路案内制御部１２５により経路案内された走行経路を外れてしまった直後に、目的地に到達するための新たな経路案内を開始する。
【００４２】
ここで、図２を用いて、報知制御部１２９の処理について具体的に説明する。図２は、報知制御部１２９の処理を説明するための模式図である。図２では、経路案内された走行経路から外れてしまった場合に、元の走行経路に復帰する処理について説明するが、上述したように、リルートする場合にも同様の処理を実行することができる。
【００４３】
図２において、車両Ｍは、本実施形態に係る運転支援装置１が搭載されている車両である。車両Ｍの進行方向に、右折路Ｒ１と、右折路Ｒ２との２つの右折路がある状況で、右折が案内された場合に、運転者は右折路Ｒ１と、右折路Ｒ２とのどちらを右折するか迷うことがある。図２では、右折路Ｒ２が正しい経路であるとする。
【００４４】
報知制御部１２９は、現在位置から右折路Ｒ２までの距離が所定の距離以上である場合には、音声案内制御部１２７を制御して「２本目の右折路を右方向です」といった音声案内を音声出力部６０から出力する。報知制御部１２９は、右折路Ｒ２に店舗などの建物Ｂが存在する場合には、「建物Ｂがある右折路Ｒ２を右方向です」といった音声案内を音声出力部６０から出力してもよい。建物Ｂの名称は地図データ５１から取得できる。
【００４５】
現在位置から右折路Ｒ２までの距離が所定未満である場合、経路案内制御部１２５は、例えば判断部１２６によって車両Ｍが右折路Ｒ１で右折しようすることを検出された場合には、右折路Ｒ１から右折路Ｒ２に復帰するための経路を右折路Ｒ１に進入する前に検索する。判断部１２６は、例えば車両情報取得部１２４が車両情報としてウィンカ操作を取得することで、車両が右折路Ｒ１に進入すると判断する。そして、経路案内制御部１２５は、右折路Ｒ１に車両Ｍが侵入した直後に、右折路Ｒ２に復帰するための経路案内を実行する。
【００４６】
経路案内制御部１２５は、例えば判断部１２６によって車両Ｍが右折路Ｒ２を右折せずに直進しようすることを検出された場合には、右折路Ｒ１を通過後の経路から右折路Ｒ２に復帰するための経路を、右折路Ｒ２を通過する前に検索する。判断部１２６は、例えば車両情報取得部１２４が車両情報として右折路Ｒ２で車速の減速を取得しなかった場合に、右折路Ｒ２を通過すると判断する。そして、経路案内制御部１２５は、右折路Ｒ２を通過した直後に、右折路Ｒ２に復帰するための経路案内を実行する。
【００４７】
［実施形態の処理］
図３を用いて、本実施形態に係る運転支援装置１の制御部１００の処理について説明する、図３は、制御部１００の処理の流れの一例を示すフローチャートである。
【００４８】
まず、経路案内制御部１２５は、目的地設定部１２２が受け付けた目的地までの経路案内を開始する（ステップＳ１０１）。そして、ステップＳ１０２に進む。
【００４９】
位置情報取得部１２３は、経路案内制御部１２５によって右左折の案内が有るか否かを判定する（ステップＳ１０２）。右左折の案内が有ると判定された場合（ステップＳ１０２のＹｅｓ）、ステップＳ１０３に進む。右左折の案内が無いと判定された場合（ステップＳ１０２のＮｏ）、ステップＳ１０４に進む。
【００５０】
ステップＳ１０３において、判断部１２６は、運転者が経路案内された走行経路を正しく認識しているか否かを判断する（ステップＳ１０３）。運転者が走行経路を正しく認識していないと判断された場合（ステップＳ１０３のＮｏ）、判断部１２６は運転者が走行経路から外れると推測し、ステップＳ１０５に進む。運転者が走行経路を正しく認識していると判断された場合（ステップＳ１０３のＹｅｓ）、ステップＳ１０４に進む。
【００５１】
ステップＳ１０４において、経路案内制御部１２５は、運転者に対して走行経路を認識させるための報知は行なわずに、通常の経路案内を継続する（ステップＳ１０４）。そして、ステップＳ１１１に進む。
【００５２】
ステップＳ１０５において、位置情報取得部１２３は、現在位置から右左折を行う案内対象地点までの距離が所定の距離以上である否かを判定する（ステップＳ１０５）。所定の距離以上である判定された場合（ステップＳ１０５のＹｅｓ）、ステップＳ１０６に進む。所定の距離未満であると判定された場合（ステップＳ１０５のＮｏ）、ステップＳ１０７に進む。
【００５３】
ステップＳ１０６において、報知制御部１２９は、運転者に対して走行経路を正しく認識させるための報知を行う（ステップＳ１０６）。そして、ステップＳ１０８に進む。
【００５４】
判断部１２６は、報知によって運転者が走行経路を正しく認識したか否かを判断する（ステップＳ１０８）。運転者が走行経路を正しく認識したと判断された場合（ステップＳ１０８のＹｅｓ）、ステップＳ１１１に進む。運転者が走行経路を正しく認識していないと判断された場合（ステップＳ１０８のＮｏ）、ステップＳ１０５に進み、位置情報取得部１２３は、上述の処理を実行する。
【００５５】
ステップＳ１０７において、経路案内制御部１２５は、走行経路を外れる前に、走行経路から外れた場合に元の走行経路に復帰するための走行経路を検索する（ステップＳ１０７）。ステップＳ１０７では、経路案内制御部１２５は、外れた走行経路から目的地に到達する走行経路を検索してもよい。そして、ステップＳ１０９に進む。
【００５６】
位置情報取得部１２３は、案内された走行経路から外れたか否かを判定する（ステップＳ１０９）。案内された走行経路から外れたと判定された場合（ステップＳ１０９のＹｅｓ）、ステップＳ１１０に進む。案内された走行経路から外れていないと判定された場合（ステップＳ１０９のＮｏ）、ステップＳ１１１に進む。
【００５７】
ステップＳ１１０において、経路案内制御部１２５は、走行経路から外れた直後に、元の走行経路に復帰するため新たな経路案内を実行する（ステップＳ１１０）。ステップＳ１０７で、外れた走行経路から目的地に到達する走行経路を検索し、そのような走行経路が存在していた場合には、経路案内制御部は、走行経路から外れた直後に、検索された走行経路で目的地までの新たな経路案内を実行する。そして、ステップＳ１１１に進む。
【００５８】
経路案内制御部１２５は、経路案内が終了したか否かを判定する（ステップＳ１１１）。経路案内が終了したと判定された場合（ステップＳ１１１のＹｅｓ）、図３の処理は終了する。経路案内が終了していないと判定された場合（ステップＳ１１０のＮｏ）、ステップＳ１０２に進み上述の処理が繰り返される。
【００５９】
上述のとおり、本実施形態は、経路案内が開始された後、運転者が走行経路を正しく認識していないと判断した場合には、運転者が走行経路を誤る前に運転者に対して正しい走行経路を認識させるための報知を行うことができる。その結果、運転者が走行経路を誤ることを防止することができる。
【００６０】
［実施形態の第一変形例の処理］
図４を用いて、本発明の実施形態の第一変形例の処理について説明する。図４は、本発明の実施形態の第一変形例の処理を示すフローチャートである。図４に示す処理は、図３に図示のステップＳ１０５の報知処理の変形例である。
【００６１】
本実施形態の第一変形例の処理は、運転者が案内された走行経路を正しく認識していない場合において、走行経路を誤ってしまった場合に元の走行経路に復帰することが困難であるか否かによって、処理を変更する。本実施形態の変形例では、元の走行経路に復帰することが困難であると判定された場合に第一の方法で報知を行う。また、本実施形態の変形例では、元の走行経路に復帰することが困難でないと判定された場合には、第二の方法で報知を行う。すなわち、本実施形態の第一変形例においては、走行経路を誤ってしまった場合に、元の走行経路に復帰する困難さに応じて報知の処理を変更する。
【００６２】
元の走行経路に復帰することが困難である場合とは、例えば元の走行経路に復帰するために必要な時間が所定時間（例えば、１０分）以上かかったり、誤った道沿いに元の走行経路に繋がるルートがなかったりする場合をいう。
【００６３】
本実施形態の変形例において、第一の方法は、運転者に対する積極的な報知をいう。例えば、第一の方法では、運転者に対して右左折などが案内され、運転者が走行経路を正しく認識していないと判定された時点から右左折を行う対象地点に到達するまでの間、継続的に報知が実行される。第一の方法では、積極的な報知を行うことで、運転者に正しい走行経路を認識させる。
【００６４】
本実施形態の変形例において、第二の方法は、第一の方法と比べ、弱めの報知をいう。例えば、第二の方法では、運転者に対して右左折などが案内され、運転者が走行経路を正しく認識していないと判定された時点から右左折を行う対象地点までの間、所定の間隔（例えば、２秒）で報知が実行される。第二の方法では、例えば走行経路を誤ってしまっても元の走行経路に復帰することが比較的容易である場合には、１回の報知であってもよい。
【００６５】
経路案内制御部１２５は、走行経路を誤ってしまった場合に元の走行経路に復帰するための走行経路を検索する（ステップＳ２０１）。そして、ステップＳ２０２に進む。
【００６６】
判断部１２６と経路案内制御部１２５は、元の走行経路に復帰することが困難であるか否かを判定する（ステップＳ２０２）。元の走行経路に復帰することが困難であると判定された場合（ステップＳ２０２のＹｅｓ）、ステップＳ２０３に進む。元の走行経路に復帰することが困難でないと判定された場合（ステップＳ２０２のＮｏ）、ステップＳ２０４に進む。
【００６７】
ステップＳ２０３において、報知制御部１２９は、運転者に対して正しい走行経路を認識させるために、第一の方法で報知を行う（ステップＳ２０３）。そして、図４の処理は終了する。
【００６８】
ステップＳ２０４において、報知制御部１２９は、運転者に対して正しい走行経路を認識させるために、第二の方法で報知を行う（ステップＳ２０４）。そして、図４の処理は終了する。
【００６９】
上述のとおり、第一変形例では、運転者が案内された経路を誤ってしまった後の走行経路に応じて、第一の方法と、第二の方法とを切り換えて報知を行うことができる。その結果、元の走行経路に復帰することが困難である場合には、元の走行経路に復帰することが容易である場合に比べて強めに報知されるので、運転者が走行経路を誤ることをより防止することができる。
【００７０】
［実施形態の第二変形例の処理］
図５を用いて、本発明の実施形態の第二変形例の処理について説明する。図５は、本発明の実施形態の第二変形例の処理を示すフローチャートである。図５に示す処理は、図３に図示のステップＳ１０６の報知処理の変形例である。
【００７１】
本実施形態の第二変形例の処理は、運転者が案内された走行経路を正しく認識していない場合において、運転者の不安度を算出し、算出された不安度に応じて、処理を変更する。本実施形態の第二変形例では、不安度が閾値以上の場合に第一の方法で報知を行う。また、本実施形態の第二変形例では、不安度が閾値に達していない場合には、第二の方法で報知を行う。
【００７２】
運転者の不安度は、判断部１２６によって算出される。判断部１２６は、例えば経路案内された後、運転者が車両の前方と、走行経路の地図を表示する表示部とを所定回数（例えば、３回）以上交互に視認した場合に、不安度が閾値を超えていると判断する。判断部１２６は、例えば運転者が不安な声色の他に運転者が発した音声の声量が所定の大きさ以上である場合に、不安度が閾値を超えていると判断する。
【００７３】
判断部１２６は、経路案内がされた際の運転者の不安度を算出する（ステップＳ３０１）。そして、ステップＳ３０２に進む。
【００７４】
判断部１２６は、算出された不安度が閾値以上であるか否かを判定する（ステップＳ３０２）。不安度が閾値以上であると判定された場合（ステップＳ３０２のＹｅｓ）、ステップＳ３０３に進む。不安度が閾値に達していないと判定された場合（ステップＳ３０２のＮｏ）、ステップＳ３０４に進む。
【００７５】
ステップＳ３０３と、ステップＳ３０４とについては、それぞれ、図４に図示のステップＳ２０３と、ステップＳ２０４と同様なので説明は省略する。
【００７６】
上述のとおり、第二変形例では、運転者の不安度に応じて、第一の方法と、第二の方法とを切り換えて報知を行うことができる。その結果、運転者の不安度が閾値を超えている場合には強めに報知されるので、運転者が走行経路を誤ることをより防止することができる。
【００７７】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換または変更を行うことができる。
【符号の説明】
【００７８】
１  運転支援装置
１０  生体情報検出部
１１  カメラ
１２  マイク
２０  操作部
３０  ＧＰＳ受信部
４０  ＣＡＮインターフェース
５０  記憶部
５１  地図データ
６０  音声出力部
７０  表示部
１００  制御部（運転支援制御装置）
１１０  バス
１２０  視線情報取得部
１２１  音声解析部
１２２  目的地設定部
１２３  位置情報取得部
１２４  車両情報取得部
１２５  経路案内制御部
１２６  判断部
１２７  音声案内制御部
１２８  表示制御部
１２９  報知制御部
【図１】
2020160588.tif 000003
【図２】
2020160588.tif 000004
【図３】
2020160588.tif 000005
【図４】
2020160588.tif 000006
【図５】
2020160588.tif 000007